(57)【特許請求の範囲】
【請求項１】
複数のネットワークのうちのいずれかに接続して通信を行う通信装置であって、
ある特定の事象が発生した場合に、前記特定の事象に関連する情報を検出する検出部と、
検出した前記特定の事象に関連する情報に応じて、接続先のネットワークを他のネットワークに切り替えるかどうかを判断し、切り替えると判断した場合には、前記接続先のネットワークを他のネットワークに切り替える切り替え部と、
を備え、
前記特定の事象に関連する情報は、ユーザが発信した情報である
ことを特徴とする通信装置。
【請求項２】
前記切り替え部は、
前記特定の事象に関連する情報の量が閾値を超えた場合に、前記接続先のネットワークを他のネットワークに切り替える
ことを特徴とする請求項１に記載の通信装置。
【請求項３】
前記切り替え部は、
前記特定の事象に関連する情報の量が閾値を超え、かつ、前記接続先のネットワークのトラフィック量が閾値を超えている場合に、前記接続先のネットワークを他のネットワークに切り替える
ことを特徴とする請求項１又は２に記載の通信装置。
【請求項４】
前記検出部は、
前記特定の事象に関連する情報を、前記特定の事象に関連する情報を蓄積するサーバから受信する
ことを特徴とする請求項１から３のいずれか１つに記載の通信装置。
【請求項５】
前記切り替え部は、
前記接続先のネットワークとの間で行われる通信に対する通信品質または通信料金に基づいて、切り替え先のネットワークを選択して切り替える
ことを特徴とする請求項１から４のいずれか１つに記載の通信装置。
【請求項６】
前記通信装置は、さらに、
前記特定の事象が発生したことを、特定のメッセージの受信によって検知する受信部
を備えることを特徴とする請求項１から５のいずれか１つに記載の通信装置。
【請求項７】
前記特定のメッセージは、ＳＭＳ（Ｓｈｏｒｔ  Ｍｅｓｓａｇｅ  Ｓｅｒｖｉｃｅ）または電子メールである
ことを特徴とする請求項６に記載の通信装置。
【請求項８】
ある特定の事象が発生した場合に、前記特定の事象に関連する情報を検出し、
検出した前記特定の事象に関連する情報に応じて、接続先のネットワークを他のネットワークに切り替えるかどうかを判断し、
前記接続先のネットワークを他のネットワークに切り替えると判断した場合には、前記接続先のネットワークを他のネットワークに切り替える
ことを備え、
前記特定の事象に関連する情報は、ユーザが発信した情報である
ことを特徴とする通信方法。
【請求項９】
ある特定の事象が発生した場合に、前記特定の事象に関連する情報を検出する処理と、
検出した前記特定の事象に関連する情報に応じて、接続先のネットワークを他のネットワークに切り替えるかどうかを判断する処理と、
前記接続先のネットワークを他のネットワークに切り替えると判断した場合には、前記接続先のネットワークを他のネットワークに切り替える処理と、
を備え、
前記特定の事象に関連する情報は、ユーザが発信した情報であり、
前記の各処理をコンピュータに実行させることを特徴とするプログラム。
【発明の詳細な説明】
【技術分野】
【０００１】
本発明は、ネットワークを介して通信を行う通信装置、通信方法、およびプログラムに関する。
【背景技術】
【０００２】
近年、ネットワークの通信の高速化、大容量化により、ＩＰ（Ｉｎｔｅｒｎｅｔ  Ｐｒｏｔｏｃｏｌ）網を用いたＶｏＩＰ（Ｖｏｉｃｅ  ｏｖｅｒ  Ｉｎｔｅｒｎｅｔ  Ｐｒｏｔｏｃｏｌ）による通話が普及している。しかしながら、ＶｏＩＰによる通話では、ネットワーク上でトラフィックの増加や輻輳が発生すると、音声パケットの遅延や消失が起こり、品質劣化の発生や、通話が途切れてしまう可能性がある。
【０００３】
このような問題に対して、ＶｏＩＰで行われている通話を切断することなく、他のネットワークや回線に切り替えて通話を継続する技術が、特許文献１および特許文献２に記載されている。
【０００４】
特許文献１には、通信品質を監視して、品質劣化を検出した場合には、ＩＰ網からＰＳＴＮ（Ｐｕｂｌｉｃ  Ｓｗｉｔｃｈｅｄ  Ｔｅｌｅｐｈｏｎｅ  Ｎｅｔｗｏｒｋ）網に回線を切り替える技術が記載されている。
【０００５】
また、特許文献２には、通話中に接続状態が所定基準以下に悪化すると、回線を切り替えて通話を継続する技術が記載されている。
【先行技術文献】
【特許文献】
【０００６】
【特許文献１】特開２０１０−２０６４４８号公報
【特許文献２】特開２００６−００５７７２号公報
【発明の概要】
【発明が解決しようとする課題】
【０００７】
上述したように、特許文献１および特許文献２には、通信品質の劣化を検出した場合に、回線を切り替えることが開示されている。
【０００８】
しかしながら、特許文献１や特許文献２では、通信品質の劣化を検出してから回線を切り替えるため、トラフィックが急激に増加した場合には、品質劣化の検出を受けての回線切り替えが間に合わない恐れがある。トラフィックが急激に増加する例としては、緊急地震速報、大雨警報、洪水警報、津波警報等が発令された場合が挙げられる。
【０００９】
本発明の目的は、上述した課題を解決することが可能な、通信装置、通信方法、および通信プログラムを提供することにある。
【課題を解決するための手段】
【００１０】
本発明による通信装置は、複数のネットワークのうちのいずれかに接続して通信を行う通信装置であって、ある特定の事象が発生した場合に、前記特定の事象に関連する情報を検出する検出部と、検出した前記特定の事象に関連する情報に応じて、接続先のネットワークを他のネットワークに切り替えるかどうかを判断し、切り替えると判断した場合には、前記接続先のネットワークを他のネットワークに切り替える切り替え部と、を備えることを特徴とする。
【００１１】
本発明による通信方法は、ある特定の事象が発生した場合に、前記特定の事象に関連する情報を検出し、検出した前記特定の事象に関連する情報に応じて、接続先のネットワークを他のネットワークに切り替えるかどうかを判断し、前記接続先のネットワークを他のネットワークに切り替えると判断した場合には、前記接続先のネットワークを他のネットワークに切り替えることを特徴とする。
【００１２】
本発明によるプログラムは、ある特定の事象が発生した場合に、前記特定の事象に関連する情報を検出する処理と、検出した前記特定の事象に関連する情報に応じて、接続先のネットワークを他のネットワークに切り替えるかどうかを判断する処理と、前記接続先のネットワークを他のネットワークに切り替えると判断した場合には、前記接続先のネットワークを他のネットワークに切り替える処理と、をコンピュータに実行させることを特徴とする。
【発明の効果】
【００１３】
本発明によれば、ネットワーク上のトラフィックが急激に増加しても、品質を落とすことなく通信を継続することが可能となる。
【図面の簡単な説明】
【００１４】
【図１】本発明による実施形態１の構成を示す図である。
【図２】本発明による実施形態１の動作を示す図である。
【図３】本発明による実施形態２の構成を示す図である。
【図４】本発明による実施形態２の構成を示す図である。
【図５】本発明による実施形態２の構成を示す図である。
【図６】本発明による実施形態２の構成を示す図である。
【図７】本発明による実施形態２の動作を示す図である。
【図８】本発明による実施形態３の動作を示す図である。
【発明を実施するための形態】
【００１５】
以下、本発明による実施形態について、図面を参照して説明する。
【００１６】
［実施形態１］
まず、図１および図２を参照して、本発明の実施形態１について説明する。
【００１７】
［構成］
図１は、実施形態１による通信システムの構成例を示す図である。図１によれば、実施形態１による通信システムは、通信装置１０００、ネットワーク１１００、ネットワーク１２００を含む。
【００１８】
通信装置１０００は、ネットワーク１１００またはネットワーク１２００のうち、いずれかのネットワークに接続して通信を行っているとする。また、通信装置１０００は、他の通信装置と、いずれかのネットワークとの間で行われる通信を中継しても良い。
【００１９】
ネットワーク１１００およびネットワーク１２００は、一般的なネットワークであり、例えば、ＩＰ網、ＰＳＴＮ網のような有線ネットワークでも良いし、無線ネットワークであっても構わない。無線ネットワークとしては、どのような種類のネットワークを用いても良い。例えば、ＣＤＭＡ（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＬＴＥ（Ｌｏｎｇ  Ｔｅｒｍ  Ｅｖｏｌｕｔｉｏｎ）等が挙げられる。
【００２０】
通信装置１０００は、検出部１００１と、切り替え部１００２を含む。検出部１００１は、特定の事象が発生した場合に、特定の事象に関連する情報を検出する。なお、特定の事象とは、例えば、通信装置１０００が接続するいずれかのネットワークにおけるトラフィックの急激な増加を招く可能性がある事象である。特定の事象の例としては、緊急地震速報、大雨警報、洪水警報、津波警報等、緊急速報や警報が発令される事象が挙げられる。
【００２１】
また、切り替え部１００２は、検出した特定の事象に関連する情報に応じて、接続先のネットワークを他のネットワークに切り替えるかどうかを判断する。
【００２２】
［動作］
図２は、実施形態１による動作を示したフローチャートである。以下では、通信装置１０００がネットワーク１１００に接続していて、図２の動作を行って、接続先のネットワークをネットワーク１２００に切り替える場合を例に挙げて説明する。
【００２３】
まず、検出部１００１は、特定の事象が発生したかどうかを判断する（Ｓ１００１）。特定の事象が発生していない場合には、通信装置１０００は、ネットワーク１１００との通信を継続する（Ｓ１００１：Ｎｏ）。Ｓ１００１で、特定の事象が発生したと判断された場合には、Ｓ１００２の処理を行う（Ｓ１００１：Ｙｅｓ）。検出部１００１は、Ｓ１００１で発生した特定の事象に関連する情報を検出する（Ｓ１００２）。Ｓ１００２で検出する特定の事象に関連する情報とは、例えば、特定の事象が発生したことにより、ネットワーク１１００におけるトラフィックの増加が見込まれるかどうかを判断することが可能となる情報である。
【００２４】
次に、切り替え部１００２は、Ｓ１００２で検出した特定の事象に関連する情報に応じて、接続先のネットワーク１１００を他のネットワーク１２００に切り替えるかどうかを判断する（Ｓ１００３）。ここで、切り替え部１００２がネットワーク１１００からの切り替えが不要であると判断した場合には、通信装置１０００は、ネットワーク１１００との通信を継続する（Ｓ１００３：Ｎｏ）。Ｓ１００３で、切り替え部１００２がネットワークの切り替えが必要であると判断した場合には、切り替え部１００２は、接続するネットワークを、現在接続しているネットワーク１１００から、他のネットワーク１２００への切り替えを行う。なお、図１の例では、ネットワーク１１００からネットワーク１２００への切り替えを行っているが、ネットワークが３種類以上ある場合には、他のネットワークに切り替えても良い。
【００２５】
［効果］
以上説明した通り、実施形態１による通信装置１０００では、特定の事象が発生した場合に、特定の事象に関連する情報に応じて接続先のネットワークを切り替えるかどうかを判断している。よって、通信装置１０００は、特定の事象の発生により、現在接続しているネットワークのトラフィックが急激に増加するかどうかを予測することができる。
【００２６】
さらに、通信装置１０００は、特定の事象に関連する情報に応じて、接続先のネットワークを切り替える判断をした場合には、接続先のネットワークを他のネットワークに切り替える。よって、通信装置１０００が接続しているネットワークのトラフィックが急激に増加するような場合であっても、他のネットワークに切り替えを行うことができるので、品質を落とすことなく通信を継続することが可能となる。
【００２７】
［実施形態２］
次に、本発明による実施形態２について、図面を参照して説明する。
【００２８】
［構成］
図３は、実施形態２による通信システムの構成例を示した図である。図３によれば、実施形態２による通信システムは、ＶｏＩＰ通信装置１００、ＶｏＩＰ通信装置１１０を含む。これらのＶｏＩＰ通信装置の機能は同様のものであるため、以下ではＶｏＩＰ通信装置１００について詳細に説明する。
【００２９】
図３に示した実施形態２による通信システムは、電話機２１０と電話機２２０との間で通話を行うことを想定している。電話機２１０、２２０は、固定電話でも良いし、携帯電話等の移動端末でも良い。
【００３０】
ＶｏＩＰ通信装置１００およびＶｏＩＰ通信装置１１０は、ＩＰ網３００、ＷｉＭＡＸ網４００、ＰＳＴＮ網５００のいずれかのネットワークを介して、電話機２１０と電話機２２０との間の通話を中継する。また、ＩＰ網３００には、情報提供サーバ３１０と口コミ情報サーバ３２０が接続されている。以降、情報提供サーバ３１０と口コミ情報サーバ３２０がＩＰ網３００に接続している場合を例に挙げて説明するが、情報提供サーバ３１０と口コミ情報サーバ３２０はＷｉＭＡＸ網４００、ＰＳＴＮ網５００に接続していても良い。
【００３１】
ここで、ＩＰ網、ＷｉＭＡＸ網、ＰＳＴＮ網は、それぞれ一般的な通信ネットワークであれば良く、実施形態１で述べたように、ＣＤＭＡ、Ｗ−ＣＤＭＡ、ＬＴＥ等の他の規格によるネットワークを適宜適用しても良い。
【００３２】
情報提供サーバ３１０は、例えば、地震に関する情報、天気に関する情報等の情報を記憶し、ユーザに対して提供する。
【００３３】
口コミ情報サーバ３２０は、例えば、地震や大雨、洪水等が発生した際に、ネットワーク上でユーザが発信した情報を記憶する。口コミ情報サーバ３２０は、例えば、地震が発生した際に、「東京にいますが、揺れました」といったような、インターネット上でユーザが発信した情報を収集し、記憶する。また、大雨警報が発令された場合には、口コミ情報サーバ３２０は、インターネット上の天気情報サイトへの書き込み内容や、現在地の天気をユーザが入力できるサービス等の情報を収集し、記憶する。さらに、口コミ情報サーバ３２０は、上述したように収集した情報の総数、データ容量、単位時間あたりの情報量、といった統計値を記憶することも可能である。例えば、口コミ情報サーバ３２０は、大雨警報が発令されてから１０分以内に、所定の天気情報サイトに書き込まれた情報の件数や、１分単位の書き込み件数等の統計値を記憶することができる。
【００３４】
以降、実施形態２では、電話機２１０と電話機２２０がＩＰ網３００を介しての通話中に、接続先のネットワークをＷｉＭＡＸ網４００またはＰＳＴＮ網５００に切り替える場合について説明する。
【００３５】
図４は、ＶｏＩＰ通信装置１００の構成例を示す図である。図４によれば、ＶｏＩＰ通信装置１００は、制御部１０１、記憶部１０２、ＷｉＭＡＸ制御部１０３、ＩＰ制御部１０４、ＰＳＴＮ制御部１０５、電話機制御部１０６を含む。
【００３６】
まず、ＷｉＭＡＸ制御部１０３、ＩＰ制御部１０４、ＰＳＴＮ制御部１０５は、それぞれ対応するネットワークへのインターフェースを有しており、対応するネットワークとの間での通信制御を行う。同様に、電話機制御部１０６は、電話機２１０との通信を行うインターフェースを有しており、電話機２１０との間の通信制御を行う。さらに、ＷｉＭＡＸ制御部１０３、ＩＰ制御部１０４、ＰＳＴＮ制御部１０５、電話機制御部１０６は、各々が接続するネットワークの品質を監視することもできる。ネットワークの品質監視は一般的な方法で行われるが、例えば、ＩＰ制御部１０４では、パケットまたはフレーム内のＲＴＰ（Ｒｅａｌ−ｔｉｍｅ  Ｔｒａｎｓｐｏｒｔ  Ｐｒｏｔｏｃｏｌ）ヘッダにタイムスタンプを付与することで、パケットの受信時間を算出する。同時に、ＩＰ制御部１０４は、パケットのシーケンス番号を監視し、パケットの受信順序の入れ替わりや、パケットロスが発生した場合の品質劣化を検出する。
【００３７】
記憶部１０２は、電話機２１０の通信相手である電話機２２０の電話番号、各ネットワークの通信品質、情報提供サーバ３１０から提供される情報、等を記憶する。より具体的には、記憶部１０２は、電話機２１０の通信相手である電話機２２０のＩＰ電話番号、ＷｉＭＡＸ電話番号、固定電話番号（ＰＳＴＮ）を記憶する。また、記憶部１０２は、ＩＰ網３００、ＷｉＭＡＸ網４００、ＰＳＴＮ網５００の各ネットワークの通信品質を記憶する。さらに、記憶部１０２は、情報提供サーバ３１０から提供される地震に関する情報や、天気に関する情報を記憶する。
【００３８】
次に、制御部１０１の構成について、図５を参照して説明する。図５は、制御部１０１の構成例を示している。図５によれば、制御部１０１は、検出部１０１１と切り替え部１０１２を含む。
【００３９】
検出部１０１１は、ある特定の事象が発生したかどうかを判断し、その特定の事象に関連する情報を検出する。例えば、緊急地震速報が発令された場合を考える。検出部１０１１は、緊急地震速報が発令された場合、情報提供サーバ３１０からＳＭＳ（Ｓｈｏｒｔ  Ｍｅｓｓａｇｅ  Ｓｅｒｖｉｃｅ）や電子メールによる緊急地震速報の通知を受信したことにより、緊急地震速報の発令を検知する。次に、検出部１０１１は、緊急地震速報に関連する情報を、口コミ情報サーバ３２０に要求して取得する。
【００４０】
切り替え部１０１２は、検出した特定の事象に関連する情報に応じて、接続先のネットワークを、他のネットワークに切り替えるかどうかを判断する。切り替え部１０１２は、他のネットワークへ切り替えると判断した場合には、接続先のネットワークを他のネットワークに切り替える。具体的には、切り替え部１０１２は、検出部１０１１が口コミ情報サーバ３２０から受信した、緊急地震速報に関連するユーザの口コミ情報の内容や数量に応じて、接続先のＩＰ網３００からＷｉＭＡＸ網４００やＰＳＴＮ網５００に切り替えるかどうかを判断する。
【００４１】
また、ＶｏＩＰ通信装置１１０の構成は、図６に示す通りである。図６によれば、ＶｏＩＰ通信装置１１０は、制御部１１１、記憶部１１２、ＷｉＭＡＸ制御部１１３、ＩＰ制御部１１４、ＰＳＴＮ制御部１１５、電話機制御部１１６を含む。制御部１１１は、さらに、検出部１１１１と切り替え部１１１２を含む。上述したように、ＶｏＩＰ通信装置１１０は、ＶｏＩＰ通信装置１００とほぼ同様の構成であるので、各部の詳細な説明は省略する。
【００４２】
［動作］
以下、図７のフローチャートを参照して、実施形態２の動作について詳細に説明する。以下では、電話機２１０がＩＰ網３００を利用してＶｏＩＰによる通話を電話機２２０と行っている際に大雨警報が発令され、大雨警報の通知をＶｏＩＰ通信装置１１０が受信して、ネットワークの切り替えを判断する場合を例に挙げて説明する。なお、以下では、主に通話の着信側であるＶｏＩＰ通信装置１１０の動作について説明する。しかしながら、受信側であるＶｏＩＰ通信装置１００において、以下で説明するＶｏＩＰ通信装置１１０と同様の動作が行われても良い。
【００４３】
まず、電話機２１０は、通信相手である電話機２２０との通話を開始する（Ｓ１０１）。以下では、電話機２１０は、ＩＰ網３００を介するＶｏＩＰによる通話を行う。この場合、電話機２１０は、ＶｏＩＰ通信装置１００に設けられた記憶部１０２に記憶された電話機２２０のＩＰ電話番号に対して発信し、ＩＰ網３００を介した通話状態を確立する。
【００４４】
ＩＰ網３００を介したＩＰ通話が確立すると、ＶｏＩＰ通信装置１００とＶｏＩＰ通信装置２００は、互いのＩＰ電話番号、ＷｉＭＡＸ電話番号、固定電話番号を交換する（Ｓ１０２）。まず、発信側のＶｏＩＰ通信装置１００は、ＶｏＩＰ通信装置１００のＩＰ電話番号１００Ａ、ＷｉＭＡＸ電話番号１００Ｂ、固定電話番号１００Ｃをフレームに付与して、着信側のＶｏＩＰ通信装置１１０に送信する。そして、着信側のＶｏＩＰ通信装置１１０は、フレームを受信すると、相手のＩＰ電話番号１００Ａ、ＷｉＭＡＸ電話番号１００Ｂ、固定電話番号１００Ｃを、ＶｏＩＰ通信装置１１０の記憶部１１２に登録する。同様に、ＶｏＩＰ通信装置１１０は、ＶｏＩＰ通信装置１００に対して、ＶｏＩＰ通信装置１１０のＩＰ電話番号１１０Ａ、ＷｉＭＡＸ電話番号１１０Ｂ、固定電話番号１１０Ｃを送信する。ＶｏＩＰ通信装置１００は、受信したＶｏＩＰ通信装置１１０の電話番号を記憶部１１２に記憶する。
【００４５】
ここで、着信側のＶｏＩＰ通信装置１００を使用している地域で、大雨警報が発令されたとする。大雨警報が発令された際、情報提供サーバ３１０から、大雨警報が発令したことを示す通知を着信側のＶｏＩＰ通信装置１１０へ送信する。上述した通り、大雨警報の発令を示す通知としては、例えばＳＭＳや電子メール等が挙げられる。ＶｏＩＰ通信装置１１０の検出部１１１１は、大雨警報の発令を示す通知を受信する（Ｓ１０３）。
【００４６】
大雨警報発令の通知を受信したＶｏＩＰ通信装置１１０は、現状のままＩＰ網３００によるＩＰ通話を継続するか通話を終了するかを判断する（Ｓ１０４）。ＶｏＩＰ通信装置１１０が通話を継続しないと判断した場合には通話を終了する（Ｓ１０４：Ｎｏ）。
【００４７】
ＶｏＩＰ通信装置１１０が、ＩＰ網３００による通話を継続すると判断した場合（Ｓ１０４：Ｙｅｓ）、ＶｏＩＰ通信装置１１０は、大雨警報が発令された地域の人々の口コミ情報を入手するかどうかを判断する（Ｓ１０５）。ＶｏＩＰ通信装置１１０が、口コミ情報を入手しないと判断した場合（Ｓ１０５：Ｎｏ）、通話を終了する。
【００４８】
ＶｏＩＰ通信装置１１０が口コミ情報を入手すると判断した場合（Ｓ１０５：Ｙｅｓ）、ＶｏＩＰ通信装置１１０の検出部１１１１は、口コミ情報サーバ３２０に対して口コミ情報を要求する（Ｓ１０６）。
【００４９】
口コミ情報の要求を受信した口コミ情報サーバ３２０は、ＶｏＩＰ通信装置１１０に対して、口コミ情報を送信し、ＶｏＩＰ通信装置１１０は、送信された口コミ情報を受信する（Ｓ１０７）。上述したように、口コミ情報としては、例えば、大雨警報が発令されてから、ユーザがネットワーク上で発信した情報の件数や、所定の天気情報サイトへの書き込みの件数等が挙げられる。
【００５０】
ＶｏＩＰ通信装置１１０の切り替え部１１１２は、受信した口コミ情報に基づいて、ＶｏＩＰによる通話を継続するか通話を終了するか判断する（Ｓ１０８）。ここで、切り替え部１１１２が通話を終了すると判断した場合には、通話を終了する（Ｓ１０８：Ｎｏ）。
【００５１】
ＶｏＩＰ通信装置１１０が、通話を継続すると判断した場合（Ｓ１０８：Ｙｅｓ）、切り替え部１１１２は、ＩＰ網３００からの回線（ネットワーク）の切り替えが必要かどうかを判断する（Ｓ１０９）。ここで、切り替え部１１１２が通話を終了すると判断した場合には、通話を終了する（Ｓ１０９：Ｎｏ）。
【００５２】
ＶｏＩＰ通信装置１１０が、回線を切り替えると判断した場合（Ｓ１０９：Ｙｅｓ）、切り替え部１１１２は、接続するネットワークを、ＩＰ網３００からＷｉＭＡＸ網４００またはＰＳＴＮ網５００のいずれかに切り替える（Ｓ１１０）。
【００５３】
上述した通り、切り替え部１１１２は、口コミ情報サーバ３２０から受信した口コミ情報に基づいて、通話の継続要否とネットワークの切り替え要否を判断する。ここで、Ｓ１０８において判断される通話の継続要否と、Ｓ１０９において判断されるネットワークの切り替え要否の判断基準について、以下に説明する。例えば、切り替え部１１１２が、口コミ情報サーバ３２０から大雨警報が発令されてから１０分間、所定の天気情報サイトに書き込まれた件数を口コミ情報として受信したとする。この場合、切り替え部１１１２は、受信した書き込み件数と、所定の閾値と比較して、受信した書き込み件数が閾値以上である場合には、回線を切り替える、といったような判断を行う。また、切り替え部１１１２は、受信した書き込み件数と閾値との比較に加えて、別途監視しておいたＩＰ網３００のトラフィック量と、所定の閾値とを比較しても良い。この場合、切り替え部１１１２は、例えば、受信した書き込み件数が閾値以上であり、かつ、ＩＰ網３００のトラフィック量が所定の閾値以上となった場合に、ネットワークの切り替えが必要と判断する。
【００５４】
さらに、切り替え部１１１２は、大雨警報が発令されてから短時間の間、例えば１分程度の間の口コミ情報を利用すれば、ＩＰ網３００のトラフィックが急増する前にネットワークの切り替えが必要かどうかを判断することが可能となる。
【００５５】
加えて、切り替え部１１１２は、Ｓ１０８またはＳ１０９において、口コミ情報の統計値から、大雨警報や緊急地震速報が誤報であることを判断して、通話を継続することや、回線の切り替えが不要であることを判断することもできる。例えば、大雨警報発令後の所定の天気情報サイトへの書き込み件数が閾値以下の場合には、大雨警報は誤報であると判断することができる。また、大雨警報発令後に天気情報サイトへ「晴れ」というキーワードが書き込まれた件数が閾値以上である場合や、「晴れ」というキーワードの書き込み件数が「雨」というキーワードの書き込み件数を上回る場合に、大雨警報は誤報であると判断できる。
【００５６】
［効果］
以上説明した通り、実施形態２によるＶｏＩＰ通信装置では、大雨警報等の特定の事象が発生した場合に、口コミ情報等の大雨警報に関連する情報に応じて接続先のネットワークを切り替えるかどうかを判断している。よって、実施形態２によるＶｏＩＰ通信装置は、特定の事象の発生により、現在接続しているネットワークのトラフィックが急激に増加するかどうかを予測することができる。
【００５７】
さらに、ＶｏＩＰ通信装置は、特定の事象に関連する情報に応じて、接続先のネットワークを切り替える判断をした場合には、接続先のネットワークを他のネットワークに切り替える。よって、ＶｏＩＰ通信装置が接続しているネットワークのトラフィックが急激に増加するような場合であっても、他のネットワークに切り替えを行うことができるので、品質を落とすことなく通信を継続することが可能となる。
【００５８】
加えて、実施形態２によるＶｏＩＰ通信装置は、大雨警報等の特定の事象に関連する口コミ情報を取得することにより、ネットワーク上のトラフィックが急増する兆候を検知、あるいは、トラフィックの急増しはじめを検知することが可能となる。よって、ＶｏＩＰ通信装置は通信が困難になる前に回線を切り替えることができ、品質を落とさずに通信を継続することができる。
【００５９】
また、実施形態２によるＶｏＩＰ通信装置は、口コミ情報に基づいて、トラフィックの急増しはじめの時点で回線を切り替えるかどうかを判断するので、大雨警報や地震速報が誤報であった場合には、ネットワークの切り替えをしないでおくこともできる。
【００６０】
［実施形態３］
続いて、本発明による実施形態３について、図８のフローチャートを参照して説明する。実施形態３では、実施形態２においてＶｏＩＰ通信装置が回線の切り替えを行う場合に、どの回線を選択するかを決定する動作について説明する。ＶｏＩＰ通信装置が回線の切り替え要否を判断する処理（図７：Ｓ１１０）までは、実施形態２の動作と同様であるので、実施形態２の例を用いて、以降の動作について説明する。なお、実施形態３の構成は、実施形態２の構成と同様であるので、詳細な説明は省略する。
【００６１】
ＶｏＩＰ通信装置１１０の切り替え部１１１２は、接続する回線、ＩＰ網３００から他のネットワークに切り替える必要があると判断する（Ｓ１１０）。ここで、切り替え部１１１２は、通信品質優先の回線を選択するか、通話料金を優先する回線を選択するか判断する（Ｓ１１１）。
【００６２】
実施形態３の例では、ＷｉＭＡＸ網４００を介した通信は通話料金が低く、ＰＳＴＮ網５００を介した通信は通信品質が高いと仮定して説明するが、これに限られるものではなく、以下に説明するような基準で適宜判断して良い。通話料金と通信品質は例えば、定期的に計測されてＶｏＩＰ通信装置１１０の記憶部１１２に記憶されていても良い。切り替え部１１１２は、記憶部１１２に記憶されている通話料金と通信品質の情報に基づいて、切り替える先のネットワークを決定する。例えば、切り替え部１１１２は、１分あたりの通話料金のような、単位時間あたりの通話料金が閾値以上の場合には通信品質を優先する回線を選択し、単位時間あたりの通話料金が閾値未満の場合には通話料金を優先する回線を選択しても良い。同様に、切り替え部１１１２は、通信品質と閾値とを比較して、通信品質を優先する回線を選択するか、通話料金を優先する回線を選択するか、を決定しても良い。また、切り替え部１１１２は、電話機２２０のユーザに対して、回線の切り替えが可能な回線を提示し、選択させるようにしても良い。例えば、ＩＰ網３００を介して通信を行っている場合には、ＷｉＭＡＸ網４００とＰＳＴＮ網５００が選択可能であることと、それぞれの通話料金と通信品質をユーザに示し、選択させても良い。
【００６３】
Ｓ１１１において、切り替え部１１１２が、通話料金を優先する回線を選択する場合、ＶｏＩＰ通信装置１１０は、通話相手であるＶｏＩＰ通信装置１００に対して、ＷｉＭＡＸ回線への切り替えを通知する（Ｓ１１２）。ＶｏＩＰ通信装置１１０は、ＷｉＭＡＸ網４００を介して発信するように指示する切り替え要求を、ＩＰ網３００を介して、ＶｏＩＰ通信装置１００へ送信する。
【００６４】
ＶｏＩＰ通信装置１００が、切り替え要求を受信すると、制御部１０１は、ＷｉＭＡＸ制御部１０３に対して、ＷｉＭＡＸ網４００を介した通話を発信するように指示する。また、ＷｉＭＡＸ制御部１０３は、記憶部１０２に記憶しているＶｏＩＰ通信装置１１０のＷｉＭＡＸ電話番号１１０Ｂを読み出し、ＷｉＭＡＸ網４００を介して、ＶｏＩＰ通信装置１１０に発信する。
【００６５】
着信側のＶｏＩＰ通信装置１１０は、ＶｏＩＰ通信装置１００から通知されたＷｉＭＡＸ電話番号１００Ｂと、あらかじめ記憶部１１２に記憶しているＶｏＩＰ通信装置１００のＷｉＭＡＸ電話番号を照合させる。照合の結果、通知されたＷｉＭＡＸ電話番号と記憶部１１２に記憶するＷｉＭＡＸ電話番号が一致した場合、ＶｏＩＰ通信装置１００とＶｏＩＰ通信装置１１０との間で、ＷｉＭＡＸ網を介した通話を開始する（Ｓ１１３）。
【００６６】
Ｓ１１１において、切り替え部１１１２が、通信品質を優先する回線を選択する場合、ＶｏＩＰ通信装置１１０は、通話相手のＶｏＩＰ通信装置１００に対して、ＰＳＴＮ回線への切り替えを通知する（Ｓ１１４）。ＶｏＩＰ通信装置１１０は、ＰＳＴＮ網５００を介して発信するように指示する切り替え要求を、ＩＰ網３００を介して、ＶｏＩＰ通信装置１００へ送信する。
【００６７】
以降、Ｓ１１３と同様にして、ＰＳＴＮ網５００への切り替え要求を受けたＶｏＩＰ通信装置１００は、ＶｏＩＰ通信装置１１０とのＰＳＴＮ網５００を介した通話を開始する（Ｓ１１５）。
【００６８】
［効果］
実施形態３によれば、実施形態２と同等の効果を奏する。
【００６９】
加えて、実施形態３では、ＶｏＩＰ通信装置が回線を切り替えると判断する際に、通信品質や通話料金を基準として、切り替える先の回線を選択している。よって、実施形態３によれば、単に接続先のネットワークを切り替えるだけでなく、あらかじめ定めた基準によって、自動的に回線を選択して切り替えることが可能となる。
【００７０】
［実施形態４］
実施形態１から実施形態３では、ＶｏＩＰ通信装置を使用している地域で、大雨警報や緊急地震速報発令時等に口コミ情報を入手することを想定していた。実施形態４のＶｏＩＰ通信装置は、回線の品質劣化が懸念される、回線障害や回線の工事、あるいはメンテナンスの場合にも、ユーザの口コミ情報を入手する。これにより、実施形態４のＶｏＩＰ通信装置によれば、回線事業者から正式な障害情報が公表される前に、回線を切り替えることが可能となる。
【００７１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００７２】
さらに、上記の実施形態の一部または全部は、以下の付記のようにも記載され得るが、以下には限られない。
【００７３】
（付記１）
複数のネットワークのうちのいずれかに接続して通信を行う通信装置であって、
ある特定の事象が発生した場合に、前記特定の事象に関連する情報を検出する検出部と、
検出した前記特定の事象に関連する情報に応じて、接続先のネットワークを他のネットワークに切り替えるかどうかを判断し、切り替えると判断した場合には、前記接続先のネットワークを他のネットワークに切り替える切り替え部と、
を備えることを特徴とする通信装置。
【００７４】
（付記２）
前記特定の事象に関連する情報は、ユーザが発信した情報である
ことを特徴とする付記１に記載の通信装置。
【００７５】
（付記３）
前記切り替え部は、
前記特定の事象に関連する情報の量が閾値を超えた場合に、前記接続先のネットワークを他のネットワークに切り替える
ことを特徴とする付記１または２に記載の通信装置。
【００７６】
（付記４）
前記切り替え部は、
前記特定の事象に関連する情報の量が閾値を超え、かつ、前記接続先のネットワークのトラフィック量が閾値を超えている場合に、前記接続先のネットワークを他のネットワークに切り替える
ことを特徴とする付記１から３のいずれか１つに記載の通信装置。
【００７７】
（付記５）
前記検出部は、
前記特定の事象に関連する情報を、前記特定の事象に関連する情報を蓄積するサーバから受信する
ことを特徴とする付記１から４のいずれか１つに記載の通信装置。
【００７８】
（付記６）
前記切り替え部は、
前記接続先のネットワークとの間で行われる通信に対する通信品質または通信料金に基づいて、切り替え先のネットワークを選択して切り替える
ことを特徴とする付記１から５のいずれか１つに記載の通信装置。
【００７９】
（付記７）
前記通信装置は、さらに、
前記特定の事象が発生したことを、特定のメッセージの受信によって検知する受信部
を備えることを特徴とする付記１から６のいずれか１つに記載の通信装置。
【００８０】
（付記８）
前記特定のメッセージは、ＳＭＳ（Ｓｈｏｒｔ  Ｍｅｓｓａｇｅ  Ｓｅｒｖｉｃｅ）または電子メールである
ことを特徴とする付記７に記載の通信装置。
【００８１】
（付記９）
ある特定の事象が発生した場合に、前記特定の事象に関連する情報を検出し、
検出した前記特定の事象に関連する情報に応じて、接続先のネットワークを他のネットワークに切り替えるかどうかを判断し、
前記接続先のネットワークを他のネットワークに切り替えると判断した場合には、前記接続先のネットワークを他のネットワークに切り替える
ことを特徴とする通信方法。
【００８２】
（付記１０）
前記特定の事象に関連する情報は、ユーザが発信した情報である
ことを特徴とする付記９に記載の方法。
【００８３】
（付記１１）
前記特定の事象に関連する情報の量が閾値を超えた場合に、前記接続先のネットワークを他のネットワークに切り替える
ことを特徴とする付記９または１０に記載の通信方法。
【００８４】
（付記１２）
前記特定の事象に関連する情報の量が閾値を超え、かつ、前記接続先のネットワークのトラフィック量が閾値を超えている場合に、前記接続先のネットワークを他のネットワークに切り替える
ことを特徴とする付記９から１１のいずれか１つに記載の通信方法。
【００８５】
（付記１３）
前記特定の事象に関連する情報を、前記特定の事象に関連する情報を蓄積するサーバから受信する
ことを特徴とする付記９から１２のいずれか１つに記載の通信方法。
【００８６】
（付記１４）
前記接続先のネットワークとの間で行われる通信に対する通信品質または通信料金に基づいて、切り替え先のネットワークを選択して切り替える
ことを特徴とする付記９から１３のいずれか１つに記載の通信方法。
【００８７】
（付記１５）
前記特定の事象が発生したことを、特定のメッセージの受信によって検知する
ことを特徴とする付記９から１４のいずれか１つに記載の通信方法。
【００８８】
（付記１６）
前記特定のメッセージは、ＳＭＳ（Ｓｈｏｒｔ  Ｍｅｓｓａｇｅ  Ｓｅｒｖｉｃｅ）または電子メールである
ことを特徴とする付記１５に記載の通信方法。
【００８９】
（付記１７）
ある特定の事象が発生した場合に、前記特定の事象に関連する情報を検出する処理と、
検出した前記特定の事象に関連する情報に応じて、接続先のネットワークを他のネットワークに切り替えるかどうかを判断する処理と、
前記接続先のネットワークを他のネットワークに切り替えると判断した場合には、前記接続先のネットワークを他のネットワークに切り替える処理と、
をコンピュータに実行させることを特徴とするプログラム。
【００９０】
（付記１８）
前記特定の事象に関連する情報は、ユーザが発信した情報である
ことを特徴とする付記１７に記載のプログラム。
【００９１】
（付記１９）
前記特定の事象に関連する情報の量が閾値を超えた場合に、前記接続先のネットワークを他のネットワークに切り替える
ことを特徴とする付記１７または１８に記載のプログラム。
【００９２】
（付記２０）
前記特定の事象に関連する情報の量が閾値を超え、かつ、前記接続先のネットワークのトラフィック量が閾値を超えている場合に、前記接続先のネットワークを他のネットワークに切り替える
ことを特徴とする付記１７から１９のいずれか１つに記載のプログラム。
【００９３】
（付記２１）
前記特定の事象に関連する情報を、前記特定の事象に関連する情報を蓄積するサーバから受信する処理をさらに含むことを特徴とする付記１７から２０のいずれか１つに記載のプログラム。
【００９４】
（付記２２）
前記接続先のネットワークとの間で行われる通信に対する通信品質または通信料金に基づいて、切り替え先のネットワークを選択して切り替える
ことを特徴とする付記１７から２１のいずれか１つに記載のプログラム。
【００９５】
（付記２３）
前記特定の事象が発生したことを、特定のメッセージの受信によって検知する処理をさらに含むことを特徴とする付記１７から２２のいずれか１つに記載のプログラム。
【００９６】
（付記２４）
前記特定のメッセージは、ＳＭＳ（Ｓｈｏｒｔ  Ｍｅｓｓａｇｅ  Ｓｅｒｖｉｃｅ）または電子メールである
ことを特徴とする付記２３に記載のプログラム。
【符号の説明】
【００９７】
１００、１１０    ＶｏＩＰ通信装置
１０１、１１１    制御部
１０２、１１２    記憶部
１０３、１１３    ＷｉＭＡＸ制御部
１０４、１１４    ＩＰ制御部
１０５、１１５    ＰＳＴＮ制御部
１０６、１１６    電話機制御部
２１０、２２０    電話機
３００    ＩＰ網
３１０    情報提供サーバ
３２０    口コミ情報サーバ
４００    ＷｉＭＡＸ網
５００    ＰＳＴＮ網
１０００    通信装置
１００１、１０１１、１１１１    検出部
１００２、１０１２、１１１２    切り替え部
１１００、１２００    ネットワーク
【図１】
0005563612.tif 000002
【図２】
0005563612.tif 000003
【図３】
0005563612.tif 000004
【図４】
0005563612.tif 000005
【図５】
0005563612.tif 000006
【図６】
0005563612.tif 000007
【図７】
0005563612.tif 000008
【図８】
0005563612.tif 000009